(57)【要約】【課題】軽量でコンパクトに折り畳んで携帯し易く、また、迅速かつ容易に折り畳みや組み立てができ、しかも、使用勝手の良い、野球バット立て用具を提供する。【解決手段】複数の穴と側枠を備えた上部保持板と、前記穴に対応する穴と側枠を備えた下部保持板と、前記上部保持板および下部保持板を折り畳み可能に連結する連結手段と、から成り、連結手段は、上部保持板の側枠の一端に枢着されると共に下部保持板の他端に掛け外し可能に掛け止められる第１連結杆と、下部保持板の側枠の一端に枢着されると共に上部保持板の他端に掛け外し可能に掛け止められる第２連結杆と、第１連結杆および第２連結杆の中間部をＸ字状に且つ回動自在に連結する連結軸から構成される。【選択図】        図１
2006095157.tif 000002
【特許請求の範囲】
【請求項１】
複数の穴と側枠を備えた上部保持板と、前記穴に対応する穴と側枠を備えた下部保持板と、前記上部保持板および下部保持板を折り畳み可能に連結する連結手段と、から成ることを特徴とする野球バット立て用具。
【請求項２】
上記連結手段が、前記上部保持板の側枠の一端に枢着されると共に下部保持板の他端に掛け外し可能に掛け止められる第１連結杆と、前記下部保持板の側枠の一端に枢着されると共に上部保持板の他端に掛け外し可能に掛け止められる第２連結杆と、上記第１連結杆および第２連結杆の中間部をＸ字状に且つ回動自在に連結する連結軸から構成されることを特徴とする請求項１に記載の野球バット立て用具。
【請求項３】
上記上部保持板と下部保持板を連動させるチェーン等の連動手段を設けたことを特徴とする請求項１または２に記載の野球バット立て用具。
【請求項４】
上記穴の縁にゴムやプラスチック等の縁取りをすることを特徴とする請求項１、２または３に記載の野球バット立て用具。
【発明の詳細な説明】
【技術分野】
【０００１】
本発明は、野球バットを立て掛けておくための用具、すなわち野球バット立て用具に関するものである。
【背景技術】
【０００２】
一般の野球チームのほとんどは、ダッグアウト設備の整った野球場で野球をすることができない。また、チームで練習や試合を行う場合、選手は各自およびチームで野球バットを所有しており、ダッグアウト設備のない場所では、野球バットをブルーシートや地面上に並べて置くか、袋に入れておくのが現状であった。
このため、お互いのバットがぶつかり合ったり、石等に当たって傷付き易いだけでなく、シートなどの上に散乱したバットに躓いて転倒し怪我する危険があり、自分のバットの所在が分かり難く、また、取り揚げ取り出し難い等の問題がある。
従来の野球バット立て用具としては、箱形ケース内に複数のバット支持用筒状体を立設して、この筒状体にバットの先を挿入して立て掛ける用具があった（例えば、特許文献１参照）
【０００３】
しかし、上記従来の用具は、バットを安定して立て掛けるために、筒状体に相当の高さを必要とするだけでなく、バットを挿入し易くするために、筒状体に相当の口径を必要とし、その結果、用具全体が大きくて重いものとなってしまい、携帯し難いという欠点があった。
【特許文献１】特開平１１−９７４６号公報
【発明の開示】
【発明が解決しようとする課題】
【０００４】
本発明が解決しようとする課題は、軽量でコンパクトに折り畳んで携帯し易く、また、迅速かつ容易に折り畳みや組み立てができ、しかも、使用勝手の良い、野球バット立て用具を提供することにある。
【課題を解決するための手段】
【０００５】
本発明は、複数の穴と側枠を備えた上部保持板と、前記穴に対応する穴と側枠を備えた下部保持板と、前記上部保持板および下部保持板を折り畳み可能に連結する連結手段と、から成ることを特徴とする。また、上記連結手段が、前記上部保持板の側枠の一端に枢着されると共に下部保持板の他端に掛け外し可能に掛け止められる第１連結杆と、前記下部保持板の側枠の一端に枢着されると共に上部保持板の他端に掛け外し可能に掛け止められる第２連結杆と、上記第１連結杆および第２連結杆の中間部をＸ字状に且つ回動自在に連結する連結軸から構成されることを特徴とする。さらに、上記上部保持板と下部保持板を連動させるチェーン等の連動手段を設けたことを特徴とする。又更に、上記穴の縁にゴムやプラスチック等の縁取りをすることを特徴とする。
【発明の効果】
【０００６】
本発明の野球バット立て用具は、軽量でコンパクトに折り畳んで携帯し易く、また、迅速かつ容易に折り畳みや組み立てができ、しかも、使用勝手の良いという利点がある。
【発明を実施するための最良の形態】
【０００７】
図１は、本発明の野球バット立て用具の一実施例を示すもので、主として、バットの上部を保持する上部保持板１と、バットの下部を保持する下部保持板２と、これらの保持板１、２を折り畳み自在に連結する連結手段３から構成されている。
【０００８】
上部保持板１には、複数（本実施例では１５個）の穴１ａが形成されていると共に、少なくとも両側部に側枠１ｂ、１ｂが設けられている。また、下部保持板２にも、上記穴１ａに対応する複数（本実施例では１５個）の穴２ａが形成されていると共に、少なくとも両側部に側枠２ｂ、２ｂが設けられている。下部保持板２の穴２ａの下方には、穴２ａに挿入したバットの先を受け止めて支持するための底板２ｃが設けられている。
【０００９】
上記連結手段３は、第１連結杆３ａおよび第２連結杆３ｂの中間部を連結軸３ｃによりＸ字状に且つ回動自在に連結して構成され、上記保持板１、２の両側部に組み付け配置されている。
【００１０】
第１連結杆３ａの上端部は、枢着軸３ｄにより側枠１ｂの基端部に回動可能に枢着されている。また、第２連結杆３ｂの下端部は、枢着軸３ｅにより側枠２ｂの基端部に回動可能に枢着されている。
【００１１】
第１連結杆３ａの下端部には掛止軸３ｆが設けられていて、側枠２ｂの先端部に形成されている凹溝２ｂ′に掛け止められている。また、第２連結杆３ｂの上端部には掛止軸３ｇが設けられていて、側枠１ｂの先端部に形成されている凹溝１ｂ′（図２も参照）に掛け止められている。
【００１２】
４は連動手段であって、上部保持板１および下部保持板２の先端部同士を連動させるために、それらの先端部を連結している。本実施例では連動手段４はチェーンを使用しているが、これに限定するものではない。
【００１３】
本実施例の野球バット立て用具は、以上のように構成されているので、これを折り畳むには、上部保持板１の適宜位置（先端部側が好ましい）に手を掛けて持ち上げると、図２に示すように、該上部保持板１は枢着軸３ｄを中心に回動して、先端部が持ち上げられ、その凹溝１ｂ′が掛止軸３ｇから外れる。
また、上記連動手段４を介して下部保持板２が連結されているので、上部保持板１の上記回動に連動して、下部保持板２も枢着軸３ｅを中心に回動して、先端部が持ち上げられ、その凹溝２ｂ′が掛止軸３ｆから外れる。
【００１４】
掛止軸３ｇ、３ｆがそれぞれ凹溝１ｂ′、２ｂ′から外れると、今度は、持ち上げた上部保持板１を降ろし、図３に示すように、折り畳むことができる。
【００１５】
逆に、折り畳み状態から組み立て状態にするには、図３の折り畳み状態において、上部保持板１の適宜位置（先端部側が好ましい）に手を掛けて、図２の状態に持ち上げることができる。この場合、各保持板１、２の側枠１ｂ、２ｂの先端部に切込み１ｂ″、２ｂ″を形成しておくことにより、掛止軸３ｆおよび３ｇを側枠１ｂ、２ｂの下側に円滑に案内することができる。各掛止軸３ｇおよび３ｆがそれぞれ凹溝１ｂ′および２ｂ′の位置に移動した時、持ち上げを解くと、各保持板１、２はそれらの重量で下がり、各凹溝１ｂ′および２ｂ′が各掛止軸３ｇおよび３ｆに係合して、図１に示すように、安定して組み付け保持することができる。
【００１６】
図４は、上部保持板１の穴１ａから下部保持板２の対応する穴２ａにバットＢの先端部を挿入して立て掛けた状態を示すもので、バットＢの先端は底板２ｃに支持される。この底板２ｃはこれに限定するものではなく、下部保持板２をプレス加工して底付き穴としてもよい。この場合、穴に雨水等が溜まらないように、小さな排水穴を設ける。また、底板はメッシュ等であってもよい。
さらに、上記保持板１、２が金属板の場合には、穴１ａおよび２ａの縁にゴムやプラスチックの縁取りをして、バットＢが傷付くのを防止するのが好ましい。
【００１７】
上記実施例の連結杆は、例えば、アルミニウム製角パイプ等からなり、その端面開口を適宜蓋により塞ぐように構成されているが、これを帯板により構成する場合には、特に、その下端部はＬ字形に折り曲げて接地面積を大きくし、地面に潜らないようにするのが好ましい。
また、本用具を持ち上げて移動させる場合に、上記掛止軸３ｇ、３ｆが凹溝１ｂ′、２ｂ′から外れないように、ロック手段を設けておくのが好ましい。
【図面の簡単な説明】
【００１８】
【図１】本発明の野球バット立て用具の一実施例を示す斜視図である。
【図２】図１の野球バット立て用具の作用説明図である。
【図３】図１の野球バット立て用具を折り畳んだ状態の斜視図である。
【図４】野球バットを立て掛けた状態の説明図である。
【符号の説明】
【００１９】
１    上部保持板
１ａ  穴
１ｂ  側枠
１ｂ′凹溝
１ｂ″切り込み
２    下部保持板
２ａ  穴
２ｂ  側枠
２ｂ′凹溝
２ｂ″切り込み
３    連結手段
３ａ  第１連結杆
３ｂ  第２連結杆
３ｃ  連結軸
３ｄ、３ｅ  枢着軸
３ｆ、３ｇ  掛止軸
４    連動手段
Ｂ    バット
【図１】
2006095157.tif 000003
【図２】
2006095157.tif 000004
【図３】
2006095157.tif 000005
【図４】
2006095157.tif 000006